【手続補正書】
【提出日】平成15年9月11日(2003.9.11)
【手続補正１】
【補正対象書類名】明細書
【補正対象項目名】発明の名称
【補正方法】変更
【補正の内容】
【発明の名称】液晶表示装置および半導体集積回路装置
【手続補正２】
【補正対象書類名】明細書
【補正対象項目名】特許請求の範囲
【補正方法】変更
【補正の内容】
【特許請求の範囲】
【請求項１】
複数の画素と、前記複数の画素に表示データに対応する階調電圧を印加する複数の映像信号線とを有する液晶表示素子と、
前記各映像信号線に表示データに対応する階調電圧を供給する映像信号線駆動手段とを具備する液晶表示装置であって、
前記映像線駆動手段は、半導体集積回路装置を有し、
前記半導体集積回路装置は、前記半導体集積回路装置の長手方向に設けられる第１の出力端子部と、
前記第１の出力端子部の前記半導体集積回路装置の短手方向の両側に設けられ、前記各映像信号線に供給する階調電圧を生成する一対の出力回路部とを有することを特徴とする液晶表示装置。
【請求項２】
複数の画素と、前記複数の画素に表示データに対応する階調電圧を印加する複数の映像信号線とを有する液晶表示素子と、
前記各映像信号線に表示データに対応する階調電圧を供給する映像信号線駆動手段とを具備する液晶表示装置であって、
前記映像線駆動手段は、半導体集積回路装置を有し、
前記半導体集積回路装置は、前記半導体集積回路装置の長手方向に設けられる第１の出力端子部と、
前記半導体集積回路装置の短手方向に設けられ、前記各映像信号線に供給する階調電圧を生成する一対の出力回路部とを有することを特徴とする液晶表示装置。
【請求項３】
複数の画素と、前記複数の画素に表示データに対応する階調電圧を印加する複数の映像信号線とを有する液晶表示素子と、
前記各映像信号線に表示データに対応する階調電圧を供給する映像信号線駆動手段とを具備する液晶表示装置であって、
前記映像線駆動手段は、複数の半導体集積回路装置を有し、
前記各半導体集積回路装置は、前記半導体集積回路装置の短手方向に設けられる入力回路部と、
前記入力回路部の前記半導体集積回路装置の短手方向の中央部の両側に、前記半導体集積回路装置の長手方向に設けられる第１の出力端子部と、
前記第１の出力端子部の前記半導体集積回路装置の短手方向の両側に設けられ、前記各映像信号線に供給する階調電圧を生成する一対の出力回路部とを有することを特徴とする液晶表示装置。
【請求項４】
前記第１の出力端子部および前記出力回路部以外の領域で、少なくとも前記半導体集積回路装置の２つの短辺の周辺部に沿って設けられる第２の出力端子部を有することを特徴とする請求項１乃至請求項３のいずれか１項に記載の液晶表示装置。
【請求項５】
前記出力回路部は、バッファ回路と、デコーダ回路と、データラッチ部と、シフトレジスタ回路とを有し、
前記バッファ回路、デコーダ回路、データラッチ部、およびシフトレジスタ回路は、前記第１の出力端子部から前記半導体集積回路の短手方向に、前記バッファ回路、デコーダ回路、データラッチ部、シフトレジスタ回路の順番に配置されることを特徴とする請求項１乃至請求項４のいずれか１項に記載の液晶表示装置。
【請求項６】
前記一対の出力回路部は、正極性の階調電圧を生成する正極性出力回路部と、負極性の階調電圧を生成する負極性出力回路部とが交互に設けられることを特徴とする請求項１乃至請求項５のいずれか１項に記載の液晶表示装置。
【請求項７】
複数の画素と、前記複数の画素に表示データに対応する階調電圧を印加する複数の映像信号線とを有する液晶表示素子と、
前記各映像信号線に表示データに対応する階調電圧を供給する映像信号線駆動手段とを具備する液晶表示装置であって、
前記映像線駆動手段は、複数の半導体集積回路装置を有し、
前記各半導体集積回路装置は、前記半導体集積回路装置の短手方向に設けられる入力回路部と、
前記入力回路部の前記半導体集積回路装置の長手方向の両側に、前記半導体集積回路装置の長手方向に設けられる複数の出力端子部と、
前記各出力端子部毎に、前記各出力端子部の前記半導体集積回路装置の短手方向の両側に設けられ、前記各映像信号線に供給する階調電圧を生成する一対の出力回路部とを有することを特徴とする液晶表示装置。
【請求項８】
複数の画素と、前記複数の画素に表示データに対応する階調電圧を印加する複数の映像信号線とを有する液晶表示素子と、
前記各映像信号線に表示データに対応する階調電圧を供給する映像信号線駆動手段とを具備する液晶表示装置であって、
前記映像線駆動手段は、複数の配線層が形成されるフィルム基板と、
前記フィルム基板上に搭載される半導体集積回路装置を有し、
前記半導体集積回路装置は、前記半導体集積回路装置の周辺部以外の領域に、前記半導体集積回路装置の長手方向に設けられる複数のバンプ電極を有し、
前記フィルム基板の配線層の一部は、一端が前記半導体集積回路装置の各バンプ電極と接続されるとともに、前記一端から前記フィルム基板の周辺部まで延長して設けられ、かつ、前記一端を含む部分が前記半導体集積回路装置により覆われており、
前記複数のバンプ電極は、前記半導体集積回路装置の長手方向に複数列に形成されていることを特徴とする液晶表示装置。
【請求項９】
前記複数列の一部の列のバンプ電極は、前記半導体集積回路装置の長手方向の長さが、当該列よりも前記フィルム基板の配線層が延長される方向にある列のバンプ電極の前記半導体集積回路装置の長手方向の長さよりも長くされていることを特徴とする請求項８に記載の液晶表示装置。
【請求項１０】
一対の基板と、前記一対の基板間の狭持される液晶とを有する液晶表示素子で、複数の画素と、前記液晶層の複数の画素に表示データに対応する階調電圧を印加する複数の映像信号線とを有する液晶表示素子と、
前記各映像信号線に表示データに対応する階調電圧を供給する映像信号線駆動手段とを具備する液晶表示装置であって、
前記映像線駆動手段は、前記一対の基板の一方の基板に搭載される半導体集積回路装置を有し、
前記半導体集積回路装置は、前記半導体集積回路装置の周辺部以外の領域に、前記半導体集積回路装置の長手方向に設けられる複数のバンプ電極を有し、
前記一方の基板に形成される映像信号線の一部は、端子部が前記半導体集積回路装置の各バンプ電極と接続されるとともに、前記端子部を含む領域が前記半導体集積回路装置により覆われており、
前記複数のバンプ電極は、前記半導体集積回路装置の長手方向に複数列に形成されていることを特徴とする液晶表示装置。
【請求項１１】
前記複数列の一部の列のバンプ電極は、前記半導体集積回路装置の長手方向の長さが、当該列よりも前記映像信号線が延長される方向にある列のバンプ電極の前記半導体集積回路装置の長手方向の長さよりも長くされていることを特徴とする請求項１０に記載の液晶表示装置。
【請求項１２】
複数の画素と、前記複数の画素に表示データに対応する階調電圧を印加する複数の映像信号線とを有する液晶表示素子と、
前記各映像信号線に表示データに対応する階調電圧を供給する映像信号線駆動手段とを具備する液晶表示装置であって、
前記映像線駆動手段は、複数の配線層が形成されるフィルム基板と、
前記フィルム基板上に搭載される半導体集積回路装置を有し、
前記半導体集積回路装置は、複数のバンプ電極を有し、
前記複数のバンプ電極の一部は、前記フィルム基板に設けられた配線層により、互いに電気的に接続されていることを特徴とする液晶表示装置。
【請求項１３】
前記バンプ電極同士を接続する配線層には、前記フィルム基板の外部から信号が印加されることを特徴とする請求項１２に記載の液晶表示装置。
【請求項１４】
長手方向と短手方向とを有する半導体集積回路装置であって、
前記長手方向に設けられる第１の出力端子部と、
前記第１の出力端子部の前記短手方向の両側に設けられ、階調電圧を生成する一対の出力回路部とを有することを特徴とする半導体集積回路装置。
【請求項１５】
長手方向と短手方向とを有する半導体集積回路装置であって、
前記長手方向に設けられる第１の出力端子部と、
前記短手方向の両側に設けられ、階調電圧を生成する一対の出力回路部とを有することを特徴とする半導体集積回路装置。
【請求項１６】
前記一対の出力回路部は、バッファ回路と、デコーダ回路と、データラッチ部と、シフトレジスタ回路とを有し、
前記バッファ回路、デコーダ回路、データラッチ部、およびシフトレジスタ回路は、前記第１の出力端子部から前記短手方向に、前記バッファ回路、デコーダ回路、データラッチ部、シフトレジスタ回路の順番に配置されることを特徴とする請求項１４または請求項１５に記載の半導体集積回路装置。